(57)【要約】ＩＯＬの光学部分が正方形の縁部を有し、そして切断が、線形および回転の組み合わせられた切断移動で実施される、ＩＯＬブランクからＩＯＬ光学部分を切断するための装置および方法。別の局面において、正方形の縁部、および眩しさを減少することを補助するためにその中に形成された螺旋状の形状の線条を備える、ＩＯＬ光学部分が提供される。正方形の縁部を有するＩＯＬの光学部分を切断し、そして引き続いて、１つ以上の鞏膜をこのＩＯＬ光学部分に取り付けるための備品および方法が提供される。
2006511316.tif 000002
【特許請求の範囲】
【請求項１】
ＩＯＬ光学部分をＩＯＬブランクから切断するための方法であって、該ＩＯＬ光学部分は、対向する前面および後面、ならびにこれらの面の間に延びる周囲壁を有し、該方法は、以下の工程：
ａ）ほぼ円形の切断縁部を提供する工程；
ｂ）ほぼ円形の、レンズを係合する端部を有するレンズプレスを提供する工程；
ｃ）該ＩＯＬブランクを、該ほぼ円形の切断縁部と、該レンズプレスの該ほぼ円形のレンズ係合端部との間に配置する工程；
ｄ）該レンズプレスおよび該切断縁部を、該切断縁部が該ＩＯＬブランクを通して回転切断する回転並進において、互いの方へと移動させ、これによって、該ＩＯＬ光学部分を形成する工程、
を包含する、方法。
【請求項２】
前記ほぼ円形の切断縁部が、穿孔器の一端に規定されている、請求項１に記載の方法。
【請求項３】
前記ＩＯＬブランクが、約７ｍｍ〜９ｍｍの間の直径を有するほぼ円形であり、そして前記切断ＩＯＬ光学部分が、約５ｍｍ〜７ｍｍの間の直径を有する、請求項２に記載の方法。
【請求項４】
穿孔器ホルダを提供する工程をさらに包含し、該穿孔器ホルダは、ほぼ円形の逆に窪んだ表面を有し、該逆に窪んだ表面内に、前記切断縁部が位置し、そして前記ＩＯＬブランクが、切断の前に中心を合わせられる、請求項３に記載の方法。
【請求項５】
レンズプッシャーを提供する工程をさらに包含し、該レンズプッシャーは、レンズ係合端部を有し、そして前記穿孔器を通って同軸に延び、該レンズプッシャーは、該レンズプッシャーの該レンズ係合端部が前記切断縁部の上方に配置される上昇位置と、該レンズプッシャーの該レンズ係合端部が該切断縁部の下方に配置される下降位置との間で可動である、請求項４に記載の方法。
【請求項６】
前記レンズプッシャーを前記下降位置に付勢する工程をさらに包含する、請求項５に記載の方法。
【請求項７】
上部パンチ本体を提供する工程をさらに包含し、該パンチ本体内に、前記レンズプレスが位置し、該上部パンチ本体が、前記穿孔器ホルダ上に取り外し可能に設置可能である、請求項６に記載の方法。
【請求項８】
前記上部パンチ本体が、長手軸方向に延びるボアを有し、そして該ボア内に半径方向に延びる１つ以上のピンを備え、そして前記穿孔器ホルダが、１つ以上の溝を備え、該溝は、該１つ以上のピンと整列して、前記回転切断運動を実施する、請求項７に記載の方法。
【請求項９】
ＩＯＬブランクからＩＯＬ光学部分を切断するための装置であって、該ＩＯＬ光学部分は、対向する前表面および後表面、ならびに該表面の間に延びる周囲壁を有し、該装置は、以下：
ａ）ほぼ円形の切断縁部；
ｂ）ほぼ円形のレンズ係合端部を有するレンズプレスであって、該ＩＯＬブランクが、該ほぼ円形の切断縁部と、該レンズプレスの該ほぼ円形のレンズ係合端部との間に配置可能である、レンズプレス、
を備え；
該ＩＯＬ光学部分が、該レンズプレスおよび該レンズ切断縁部を、該切断縁部が該ＩＯＬブランクを回転切断する回転並進で互いの方へと移動させ、これによって該ＩＯＬ光学部分を形成することによって形成される、装置。
【請求項１０】
前記ほぼ円形の切断縁部が、穿孔器の１つの端部に規定される、請求項９に記載の装置。
【請求項１１】
前記レンズプレスが、前記ほぼ円形の切断縁部と整列させるためおよび整列から外すための、選択的移動を可能にするように設置される、請求項９に記載の装置。
【請求項１２】
前記ＩＯＬブランクおよび切断されたＩＯＬ光学部分を見ることを可能にするために設置された、ＣＣＤカメラおよび集束レンズをさらに備える、請求項１１に記載の装置。
【請求項１３】
前記ＩＯＬブランクが、約７〜９ｍｍの直径を有するほぼ円形であり、そして前記切断されたＩＯＬ光学部分が、約５〜７ｍｍの直径を有する、請求項１０に記載の装置。
【請求項１４】
穿孔器ホルダをさらに備え、該穿孔器ホルダが、円形の逆に窪んだ表面を有し、該逆に窪んだ表面内に、前記切断縁部が位置し、そして前記ＩＯＬブランクが、切断の前に中心を合わせられる、請求項１３に記載の装置。
【請求項１５】
レンズプッシャーをさらに備え、該レンズプッシャーが、レンズ係合端部を有し、そして前記穿孔器を通って同軸に延び、該レンズプッシャーは、該レンズプッシャーのレンズ係合端部が前記切断縁部の上方に配置される上昇位置と、該レンズプッシャーのレンズ係合端部が該切断縁部の下方に配置される下降位置との間で可動である、請求項１４に記載の装置。
【請求項１６】
前記レンズプッシャーを前記下降位置に付勢するための手段をさらに備える、請求項１５に記載の装置。
【請求項１７】
上部パンチ本体をさらに備え、該上部パンチ本体内に、前記レンズプレスが位置し、該上部パンチ本体は、前記穿孔器ホルダに取り外し可能に設置可能である、請求項１６に記載の装置。
【請求項１８】
前記上部パンチ本体が、長手軸方向に延びるボアを有し、そして該ボア内へと半径方向に延びる１つ以上のピンを備え、そして前記穿孔器ホルダが、１つ以上の溝を備え、該溝は、該１つ以上のピンと整列および係合して、前記回転切断運動を実施する、請求項１７に記載の装置。
【請求項１９】
眼内レンズであって、対向する前表面および後表面、ならびに該表面の間に延びる外側周囲壁を備える光学部分を有し、該周囲壁と該前表面との接合部が、鋭利な縁部を形成し、該周囲壁が、該壁に形成されたほぼ螺旋状の形状の線条をさらに備える、眼内レンズ。
【請求項２０】
眼内レンズブランクを切断して眼内レンズ光学部分を形成する方法であって、以下の工程：
ａ）形成されるべきＩＯＬ光学部分の最外部の周囲壁の形状および大きさの、ほぼ円形の切断縁部を提供する工程；ならびに
ｂ）線形および回転の同時の移動で、該切断縁部で該眼内レンズブランクを切断して、眼内レンズの光学部分を形成する工程、
を包含する、方法。
【請求項２１】
ほぼ螺旋状の形状の線条を、前記外周壁に形成する工程をさらに包含する、請求項１８に記載の方法。
【発明の詳細な説明】
【技術分野】
【０００１】
（関連出願）
本願は、２００２年１２月２０日に出願された、以前の出願番号１０／３２７，５８０の一部継続出願である。
【０００２】
（発明の背景）
本発明は、眼内レンズ（本明細書中以下で、ＩＯＬ）の製造に関する。より具体的には、本発明は、正方形の縁部を有するＩＯＬの光学部分を切断し、そして引き続いて、１つ以上の鞏膜をこのＩＯＬ光学部分に取り付けるための備品および方法に関する。
【背景技術】
【０００３】
白内障の眼を処置するための通常の望ましい方法は、白内障摘出術として公知の外科的手順において、曇った天然の水晶体を除去し、そしてこの水晶体を、人工ＩＯＬで置き換えることである。ＩＯＬは、多くの異なる構成および材料で利用可能であり、これらを、外科医が、患者の必要性に基づいて選択する。より通常のＩＯＬのいくつかは、光学部分および１つ以上であるが通常は２つである鞏膜を備え、この鞏膜は、ＩＯＬを眼内に固定するために、光学部分から延びる。このＩＯＬの光学部分は、それ自体が、例えば、両凸、平凸、平凹、平平、または両凹であり得る。これらの光学部分はまた、その１つ以上の表面に、球状および／または非球状の光学部分を備え得る。ＩＯＬが作製される材料としては、例えば、シリコーン、シリコーンアクリレート、硬質アクリルおよび軟質アクリルが挙げられる。鞏膜は、光学部分が形成される材料と同じ材料であっても異なる材料であってもよい。現在人気のあるＩＯＬ設計は、例えば、シリコーンエラストマーまたは軟質アクリルから形成される可撓性の光学部分を有し、一方で、鞏膜は、例えば、硬質アクリルであるＰＭＭＡのような、より剛性の材料から形成される。可撓性の光学部分は、この光学部分が、眼に作製される比較的小さい切開（例えば、約３ｍｍ以下）を通しての送達のために、折り畳まれ、そして／または圧縮され得るために、望ましい。一旦、眼に入ると、光学部分は、その元の、応力を受けていない形状に戻る。より合成の鞏膜は、これらが光学部分を眼内で位置づけし、そして安定化させるように機能し得るために、望ましい。これらの鞏膜は、光学部分と一体的に形成されても、光学部分が形成された後にこの光学部分に取り付けられてもよい。光学部分が可撓性材料から形成され、そして鞏膜が剛性材料から形成される場合に、光学部分および鞏膜を一緒に同時成型する例は、Ｖａｎｄｅｒｂｉｌｔに対する米国特許第５，２１７，４９１号および同第５，３２６，５０６号に見られ得る。次いで、複合材料の得られた棒が、光学部分と鞏膜部分との両方を備える最終的なＩＯＬの形状に機械加工（例えば、ミリングおよび旋盤加工）される。
【０００４】
ＩＯＬを作製するための種々の方法が、先行技術において提唱されており、成型およびミリング／旋盤加工が、最も人気がある。
【発明の開示】
【課題を解決するための手段】
【０００５】
（発明の要旨）
本発明は、正方形の縁部を有する光学部分を有するＩＯＬを作製し、そして引き続いて、この光学部分に１つ以上の鞏膜を取り付けるための、装置および方法を提供する。この装置は、備品を備え、この備品は、例えば、シリコーンのブランク材料からＩＯＬ光学部分を切断するために、切断器具（例えば、穿孔器）を組み込む。このＩＯＬブランクは、好ましくは、成型され、次いで、平滑な表面にするためにポリシングされる。ＩＯＬブランクがこの備品に適切に設置された状態で、この穿孔器は、このブランクを切断して、このＩＯＬ光学部分の周囲縁部を形成する。これは、先行技術の光学部分形成方法の多くにおいて必要とされるような、さらなるポリシングを必要としない。この穿孔器は、加工片ホルダを有する備品内に設置されえ、この加工片ホルダ上に、ブランク材料が、切断のために配置され得る。好ましい実施形態において、このブランク材料は、穿孔器に対して、回転および線形の同時の並進で移動されて、切断を行う。このブランクは、好ましくは、ディスクの外側周囲の半径方向に内側の位置においてディスクを切断する穿孔器を用いて、ディスクの形状で供給される。従って、この穿孔器は、処分または再利用される材料の外側リングを残しながら、所望の光学部分直径を切断する。この穿孔器は、好ましくは、備品から取り外し可能であり、その結果、この穿孔器は、その刃が磨耗した場合、または異なる光学部分切断直径を有する穿孔器と交換することが望ましい場合に、迅速にかつ容易に交換され得る。
【０００６】
得られる光学部分は、真っ直ぐな周囲壁を備えて形成され、この壁は、このＩＯＬ光学部分の光軸に対して実質的に平行に延びる。少なくとも、この光学部分の後表面と周囲壁との接合部は、鋭利な周囲縁部を形成し、これは、後方被膜の不透明化（ＰＣＯ）または続発性白内障の発生を減少させることを補助することが、臨床的に示されている。
【０００７】
この備品はまた、切断された光学部分をこの備品から持ち上げて、例えば、ピンセットでのこの光学部分の回収を容易にするための、光学部分解放機構を備え得る。
【発明を実施するための最良の形態】
【０００８】
（発明の詳細な説明）
本発明の１つの局面において、光学部分を有する眼内レンズが提供され、この光学部分は、対抗する前表面および跡表面、ならびにこれらの表面の間に延びる外側周囲壁を備え、この外側周囲壁と前表面との接合部が、鋭利な縁部を形成し、この周囲壁は、必要に応じて、そこに形成されたほぼ螺旋状の形状の線条を備える。
【０００９】
本発明の別の局面において、眼内レンズブランクを切断して眼内レンズ光学部分を形成する方法が提供され、この方法は、以下の工程を包含する：
ａ）形成されるべきＩＯＬ光学部分の最も外側の周囲の形状および大きさの、円形切断縁部を提供する工程；ならびに
ｂ）この眼内レンズブランクを、この切断縁部で、線形および回転の同時の移動で切断して、眼内レンズ光学部分を形成する工程。
【００１０】
この様式で、切断縁部は、ほぼ螺旋状の形状の線条を形成するために使用され、これらの線条は、所望さえる場合に、光学部分の周囲壁に形成され得る（例えば、眩しさを減少させることを補助するために）。あるいは、これらの螺旋状線条は、別の操作で、この周囲壁に形成され得る。
【００１１】
本発明のなおさらなる局面において、ＩＯＬブランクからＩＯＬ光学部分を切断するための方法が提供され、このＩＯＬ光学部分は、対向する前表面および後表面、ならびにこれらの表面の間に延びる周囲壁を有し、この方法は、以下の工程を包含する：
ａ）ほぼ円形の切断縁部を提供する工程；
ｂ）ほぼ円形のレンズ刑法端部を有するレンズプレスを提供する工程；
ｃ）上記ＩＯＬブランクを、ほぼ円形の切断縁部と、レンズプレスのほぼ円形のレンズ係合端部との間に配置する工程；
ｄ）切断縁部がＩＯＬブランクを通して回転して切断するように、レンズプレスおよび切断縁部を、互いの方向へと、回転並進で移動させて、ＩＯＬ光学部分を形成する工程。
【００１２】
本発明のなおさらなる局面において、ＩＯＬブランクからＩＯＬ光学部分を切断するための装置が提供され、このＩＯＬ光学部分は、対向する前表面および後表面、ならびにこれらの表面の間に延びる周囲壁を有し、この装置は、以下を備える：
ａ）ほぼ円形の切断縁部；
ｂ）ほぼ円形のレンズ係合端部を有するレンズプレスであって、ＩＯＬブランクが、このほぼ円形の切断縁部と、レンズプレスのほぼ円形のレンズ係合端部との間に配置可能である、レンズプレス。このＩＯＬ光学部分が、このレンズプレスおよび切断縁部を互いに向けて、回転並進で移動させ、切断縁部がＩＯＬブランクを通して回転切断することによって、形成される。
【００１３】
ここで図面を参照すると、本発明に従ってＩＯＬを切断するための備品の１つの実施形態が図示および記載されており、ＩＯＬを本発明に従って作製するための他の方法および備品が可能であり、そして本発明の範囲内であることが理解される。従って、図１ａには、ＩＯＬブランクからＩＯＬ光学部分を切断するために有用な、ＩＯＬ切断備品１０が見られる。例示的なＩＯＬ１２は、光学部分１４ならびに２つの鞏膜１６ａおよび１６ｂを備えるように、図２において見られる。光学部分１４は、眼内で収束を提供するように提供され、一方で、鞏膜は、眼内でのＩＯＬの適切な配置のための位置決め手段を提供する。ＩＯＬ１２の特定の構成は、説明の目的のみで提供され、そして本明細書中に示されるものから変化し得る（例えば、ＩＯＬは、任意の構成の１つ以上の鞏膜を備え得、そしてＩＯＬの前方光学表面および後方光学表面は、同様に変化し得る）ことが、理解される。本発明は、ＩＯＬの光学部分１４を切断するために使用され、ここで、鞏膜部分は、引き続いて、任意の公知の手段（例えば、接着）を使用して、この光学部分に取り付けられる。
【００１４】
本発明を使用して光学部分１４が切断されるＩＯＬブランク（図示せず）は、任意の所望の形状（例えば、任意の形状輪郭を有するシート）である。最も好ましくは、ＩＯＬブランクは、所望の構成（例えば、凸状、凹状、または平面であり、そして球状光学部分および／または非球状光学部分を組み込み得る）の、前方および後方の光学表面を有する、ほぼ円形のディスクの形状で提供される。ＩＯＬブランク自体は、例えば、金属鋳型を使用して成型され、そして胸膜から光学部分への引き続くステーキングのために、外周に形成された穴を有する。従って、備品１０は、仕上げられた正方形の縁部の光学部分をブランクから切断するために使用される。ＩＯＬ光学部分の周囲の正方形の縁部は、上記のように、後方皮膜の不透明化（ＰＣＯ）または続発性白内障の発生を減少させることを補助することが、臨床的に示されている。
【００１５】
備品１０は、基部２０を備え、この基部に、穿孔器２２が設置され、この穿孔器は、その一端において、円形の切断縁部２４を有し、そして長手軸方向に延びるボア２６が、切断縁部２４から反対側の基部端部２８まで、全体にわたって延びる（図５ａ、ｂもまた参照のこと）。切断縁部２４の直径は、所望の得られる光学部分直径（例えば、約５〜７ｍｍ、そしてより好ましくは、約６ｍｍ）に対応するように選択される。仕上げられた光学部分が備品１０を使用して切断されるＩＯＬブランクの直径は、もちろん、光学部分の得られる切断直径より大きく、そして約７〜９ｍｍの範囲であり得、そしてより好ましくは、直径約８ｍｍである。
【００１６】
穿孔器２２は、穿孔器ホルダ２８内に取り外し可能に設置され、この穿孔器ホルダ２８は、頂端部２８ａから底端部２８ｂまで全体にわたって延びる、長手軸方向ボア３０を有する（図４ａ〜ｃもまた参照のこと）。ボア３０は、穿孔器２２が底端部３０から挿入され得、そして穿孔器切断縁部２４が逆に窪んだ頂部表面２８ｃのわずかに上方に位置するように、このボア内の位置に載るように、構成される。穿孔器２２および穿孔器ホルダ２８は、ホルダ２８の底端部２８ｂに隣接して形成された嵌合ねじ３４を介して、そして基部２０の頂部に形成された逆に窪んだボア３６の内壁に沿って、基部２０に取り外し可能に設置される。構成部品は、互いに取り外し可能に設置されるので、穿孔器２２は、その切断縁部２４が鈍くなった場合、または異なる直径の切断縁部に切り替えることが望ましい場合に、新たな穿孔器と迅速に交換され得る。
【００１７】
レンズプッシャー４０は、ボア３６ｂを通って延び、そして穿孔器の中心ボア２６を通り続ける。プッシャー４０の底端部４０ｂは、ロッカー構成要素４２に載る。このロッカー構成要素自体は、基部２０の間隔を空けた平行なレッグ２０ａと２０ｂとの間に旋回可能に設置される。従って、レンズプッシャー４０は、穿孔器２２および穿孔気ホルダ２８内でのなが手軸方向での往復運動のために設置される。従って、レンズプッシャー４０は、図１ａ、ｂに示される下降位置（ここで、その頂端部４０ａは、穿孔器ホルダ２８の逆に窪んだ頂部表面２８ｃの下方に位置する）と、図３ａ、３ｂに示される上昇位置（ここで、その頂端部４０ａは、穿孔器ホルダ２８の逆に窪んだ頂部表面２８ｃの上方に位置する）との間で移動され得る。往復運動は、プッシャー棒４４によって付与され得る。このプッシャー棒は、基部２０に形成された別のボア４６を通って延び、このボアは、ボア３６ａ、ｂに対して平行に延びる。プッシャー棒４４の底端部４４ｂは、レンズプッシャー端部４０ｂの反対側のロッカー構成要素４２の端部の上に載る。
【００１８】
レンズプッシャー４０は、レンズプッシャーシャフトを囲むばね４８によって、図１ａ、１ｂに示される下降位置に付勢されることが注目される。この羽の頂端部は、ぷっ寝具４３（図１ａを参照のこと）の底表面４１を押し上げ、そしてばねの底端部は、レンズプッシャー４０の底端部４０ｂのレッジを押し上げる。従って、レンズプッシャー４０は、プッシャー棒の頂端部４４を単に下向きに押すことによって、付勢された下降位置から、図３ａ、ｂに示される上昇位置まで移動され得る。この移動のさらなる説明は、以下で説明される。
【００１９】
議論はここで、上部パンチ機構５０、およびＩＯＬ光学部分がＩＯＬブランクから切断されるプロセスに注目する。図１ａを参照すると、上部パンチ機構５０は、頂表面５２ａおよび底端部５２ｂを有する主要本体部分５２を備えるように見られ、長手軸方向に延びる第一のボア部分５４ａおよび第二のボア部分５４ｂを備える。底ボア部分５４ｂは、穿孔器ホルダ２８の外径よりわずかに大きい内径を有し、その結果、パンチ本体部分５２は、穿孔器ホルダ２８に設置され得る。レンズプレス挿入物５６が、ボア５４ａ内に滑りばめされる挿入具ホルダ５８を介して、上部ボア部分５４ａ内に設置される。レンズプレス挿入具５６の底縁部５６ａは、上部ボア部分５４ａの下方かつ下部ボア部分５４ｂの内部の位置に位置決めされる．１対のピン６０ａ、ｂが、本体５２の壁を通して、ベアリング６２ａ、ｂを通して挿入され、ここでピンの端部６０ａ’、６０ｂ’は、下部ボア５４ｂ内に半径方向に延びる。ピン６０ａ、ｂは、好ましくは、互いから約１８０°ずれている。螺旋状に延びる１対の溝６４ａ、６４ｂが、穿孔器ホルダ２８の外側表面に形成され、これによって、ピンの端部６０ａ’、６０ｂ’が、頂部表面２８ａに隣接して、溝の頂端部に挿入され得る（図４ａを参照のこと）。これらの溝は、最初に、底端部２８ｂに向かって長手軸方向に延び、次いで、穿孔器ホルダ本体の周りで螺旋状のパターンで延びる。
【００２０】
切断プロセスを開始するために、円形のＩＯＬブランクが、穿孔気切断縁部２４上に配置され、この切断縁部は、穿孔器ホルダ２８の逆に窪んだ表面２８ｃのわずかに上方であるが、穿孔器ホルダ上側表面２８ａのなお下方に位置する。上表面２８ａは、図４ｂに最もよく示されるような、円形の逆に窪んだ表面２８ｃを規定する。逆に窪んだ表面２８ｃの外径は、底に配置されるＩＯＬブランクの直径に近づくような大きさにされ、その結果、ＩＯＬブランクは、穿孔器切断縁部２４上で中心を合わせられる。ＩＯＬが穿孔器切断縁部２４に載った状態で、上部パンチ本体５２は、ピンの端部６０ａ’、６０ｂ’がホルダ２８に形成された溝６４ａ、６４ｂとそれぞれ整列した状態で、穿孔器ホルダ２８上に低下される。溝は、ホルダの底縁部２８ｂの方へと最初に長手軸方向に延びるので、パンチ本体５２は、入れ子の移動で穿孔器ホルダ２８上に線状に並進する。溝の長手軸方向に延びるセクションの端部に達すると、レンズプレス挿入具の底縁部５６ａは、ＩＯＬブランク上に軽く載る。次いで、操作者は、溝６４ａ、６４Ｂの螺旋状の範囲に沿って載るピンの端部６０ａ’、６０ｂ’を用いてパンチ本体５２を回転させ、これによって、ピンプレス挿入具５６は、ＩＯＬブランクを押し、このブランクを穿孔器切断縁部２４に押し込み、この穿孔器切断縁部２４自体は、静止したままである。しかし、挿入された穿孔器が、静止して保持されるＩＯＬブランク内に移動するように、操作における変更がなされ得ることが、理解される。
【００２１】
上記パンチ本体５２の、穿孔器ホルダ２８に対する上記回転が、穿孔器切断縁部２４にＩＯＬブランクを通して切断させることが理解される。レンズプレス挿入具５６は、そこを通って延びる長手軸方向ボア５６ｂを備えることが注目される。これは、ＩＯＬブランクの中心光学表面が、レンズプレス挿入具に接触しないように提供される。この接触は、光学表面に対して潜在的に危険を引き起こし得る。レンズプレス挿入部の底縁部５６ａの直径は、ＩＯＬブランクがこの挿入具と穿孔器切断刃２４との間にはさまれるような大きさにされる．一旦、ＩＯＬブランクが切断されると、切断本体が逆方向に回転され、そして穿孔器ホルダ２８から取り外され、切断されたＩＯＬ光学部品が、穿孔器切断刃２４上に残されたままにされる。光学部分から切断された環状のばりが、切断縁部２４の周りで、逆に窪んだ表面２８ｃ上に配置される。このばりを除去するために、操作者は、ピンセットを使用し、このピンセットを、穿孔器ホルダ２８の頂部表面に形成された半径方向の
レリーフ２８ｄまたは２８ｅのいずれかの中に延ばす（図４ｂを参照のこと）。このばりが除去されると、操作者は、上で説明されたように、プッシャー棒４０を下向きに押すことによって、レンズプッシャー４０を上昇位置に移動させる。切断されたＩＯＬ光学部分がプッシャー４０の頂端部４０ａの上に載った状態で、このＩＯＬ光学部分は、その開封のために容易にアクセス可能である．従って、操作者は、切断されたＩＯＬ光学部分を、例えば、ピンセットを使用して、このピンセットの先端を、頂端部４０ａに形成されたレリーフ４０ｃに通して延ばすことによって、回収し得る（図６ａ〜ｃを参照のこと）。
【００２２】
図７に注目すると、この図は、本発明を使用して切断されたＩＯＬ光学部分の、走査型電子顕微鏡画像である。得られる周囲壁１４ｃが、前周囲縁部１４ａと後周囲縁部１４ｂとの間に規定されこれらの縁部は、それぞれ、前光学表面１４ｄおよび対向する後光学表面（図示せず）の接合部に位置する。螺旋状の線条１４ｅが、周囲壁１４ｃに見られ、これらの線条は、穿孔器切断縁部２４の回転運動の結果である。これらの線条１４ｅは、移植された光学部分の縁部からの光の反射によって引き起こされる、望ましくない眩しさを減少させることに寄与し得る。
【００２３】
ここで図８ａおよび８ｂを参照すると、種々の操作効率を本発明に組み込む、本発明の別の実施形態が示されている。以下に記載されるように、本発明の操作効率を増加させるためのいくつかの異なる局面が存在するが、任意の数（なしを含む）の異なる操作効率が、使用者の用件に依存して使用され得ることが、理解される。
【００２４】
従って、操作効率の第一の局面において、レンズプッシャー４０の移動は、支持基部７２内に設置され、そしてレンズプッシャー４０を意図された様式で線形に並進させるように接続された、た空気式シリンダ７０を介して自動化され得る。ボタンまたは他のアクチュエータ（図示せず）が、シリンダ７０を交互に（手動でかまたは自動化された制御気を介してかのいずれかで）作動および停止させるように係合され、先に記載されたように、レンズプッシャー４０の往復線形移動を引き起こす。
【００２５】
操作効率の第二の局面において、減圧ラインＶが、レンズプッシャー４０の中心を通して長手軸方向に組み込まれ、ＩＯＬの取り外しの時点まで、ＩＯＬブランクおよび／または光学部分をレンズプッシャー４０上に維持することを補助し得る。この取り外しの時点で、減圧Ｖが解放される。これは、ＩＯＬブランクおよび／または切断された光学部分の二次的なプロセスを実施するために、特に有用な特徴である。例えば、いくつかのＩＯＬは、光学部分の周囲に形成された、２つ以上の穴を有するように作製される。光学部分が切断された後に、２つ以上の鞏膜の各々の一端が、この光学部分のそれぞれの穴の中に固定される（例えば、接着剤を用いて）。鞏膜の端部をそれぞれの穴に挿入するために必要とされる制度に起因して、鞏膜取り付けプロセスの間、光学部分を静止したまま維持することが必要である。減圧が、この光学部分を、れんずぷしゃー４０上の適所に固定し、一方で、切断された光学部分の周囲に形成された穴の中に、鞏膜を挿入する（例えば、接着する）。過去において、これは、ＩＯＬ製造プロセスにおける別個のプロセス工程であった。この工程は、現在、このプロセスステーション（すなわち、ＩＯＬ光学部分上に正方形の縁部を切断するプロセス）に組み込まれ得、そして全体の製造プロセスの効率が、これによって増加される。
【００２６】
操作効率の第三の局面において、上部パンチ機構５０が、垂直アーム７６ａ、７６ｂからほぼ水平に延びる支持アーム７４に設置される。支持アーム７４は、間隔を空けた平行な２つのアーム７４ａおよび７４ｂを備ええ、これらのアームは、ボールブッシング７５ａ、７５ｂに取り付けられ、これらのブッシング自体は、垂直スライドブロック７７（図８ｂ）内に設置される．垂直スライドブロック７７は、間隔を空けた平行な垂直アーム７６ａ、７６ｂに取り付けられ、これらの垂直アームは、垂直フレーム７９、８０の間に延びる。垂直スライドブロック７７およびボールブッシング７５ａ、７５ｂは、上部パンチ機構５０と一緒の、垂直アーム７６ａ、７６部絵でのアーム７４ａ、７４ｂの、静止した穿孔器ホルダ２８に対する交互の上昇および下降を可能にする。このことは、操作者が、先に記載されたような連続するＩＯＬ切断操作の間に上部パンチ機構５０を容易に勝つ迅速に取り外し、そして穿孔器ホルダ２８に取り付けることを可能にする。所望であれば、自動化された制御器を使用して、機構５０の往復の垂直移動を実施することもまた、可能である。
【００２７】
レンズプッシャー４０上に位置するＩＯＬブランクを切断する時点で、上部パンチ機構５０は、下降されて、上記のように、穿孔器ホルダ２８上に据え付けられる。ＩＯＬブロックを切断するために穿孔器２８に対して必要とされる機構５０の回転運動を提供する目的で、機構５０は、ブッシング８４ａ内に滑りばめされ、このブッシング自体は、設置ブラケット８４ｂを介して、アーム７４ａ、７４ｂに設置される。円形キャップ８５が、機構５０に取り付けられ、そしてブッシング８４ａの中心開口部より大きい直径を有し、その結果、このキャップは、図８ａに明らかに見られるように、ブッシング８４ａの頂部表面に載る。機構５０が下降され、そして穿孔器ホルダ２８に載った状態で、操作者（または他の適切な自動化機構）は、キャップ８５を回転させ得、これは、先に記載されたように、穿孔器ホルダ２８上で回転機構５０を回転させて、機構５０の回転線形運動を実施し、そしてこれによって、正方形の縁部をＩＯＬブランクに切り込む。一旦、ＩＯＬが切断されると、キャップ８５が逆方向に回転されて、このＩＯＬおよび機構５０を、穿孔器ホルダ２８の上に上昇させる。
【００２８】
支持アーム７４ａ、７４ｂはまた、ボールブッシング７５ａ、７５ｂによって、ほぼ水平な面に沿って、垂直アーム７６ａ、７４ｂの方へと後方に選択的に並進され得る。これらのブッシングを通して、アーム７６ａ、７６ｂは、完全に延び、共通の端面７４ｃ（図８ａ）で終わる。この特徴は、必要とされる場合（例えば、上記鞏膜挿入の間、および以下に記載されるような調査の間）に、上部パンチ機構５０の穿孔器ホルダ２８からのクラリアランスを提供する。他の移動（例えば、垂直マウントの周りでのアーム７６ａ、７６ｂの旋回）が、このクリアランスを可能にするために、この器具に対して組み込まれ得ることが、注目される。
【００２９】
操作効率の第四の局面において、ＣＣＤカメラ８１および集束レンズ８２が、垂直マウント７９、８０に（例えば、ブラケット８３ａ、ｂを介して）、上部パンチ機構５０の真上の位置で提供される。モニタ（図示せず）が、カメラ８１およびレンズ８２に取り付けられて、操作者が、作業領域（特に、鞏膜挿入プロセスの間のＩＯＬ光学部分）の、明瞭な拡大された視野を可能にし得る。
【００３０】
上記作業効率は、多数の利点（例えば、レンズプッシャーに対する中心あわせを改善するために、ＩＯＬブランクをより良好に見ること、鞏膜挿入の間の作業者の目の疲労を減少させること、異なるプロセシングステーションの数を減少させ、従って、ＩＯＬ取り扱いの量を減少させることおよび労力費用の減少）を与える。
【図面の簡単な説明】
【００３１】
【図１ａ】図１ａは、準備ができた位置でのＩＯＬ切断機構、および間隔を空けた関係で示される上部パンチを示す、本発明の好ましい実施形態の側面立面断面図である。
【図１ｂ】図１ｂは、ほぼ図１ａの線１ｂ−１ｂを通して見た、ＩＯＬ切断機構の断面図である。
【図２】図２は、先行技術のＩＯＬの平面図である。
【図３ａ】図３ａは、ＩＯＬ切断機構の一部分が、切断されたＩＯＬの回収のための上昇した位置で示される、図１ａの図である。
【図３ｂ】図３ｂは、ほぼ図３ａの線３−３ｂに沿って見た、ＩＯＬ切断機構の断面図である。
【図４ａ】図４ａは、穿孔器ホルダの側面立面図である。
【図４ｂ】図４ｂは、穿孔器ホルダの上平面図である。
【図４ｃ】図４ｃは、ほぼ図４ｂの線４ｃ−４ｃに沿って見た断面図である。
【図５ａ】図５ａは、穿孔器刃の側面立面図である。
【図５ｂ】図５ｂは、穿孔器刃の上平面図である。
【図６ａ】図６ａは、レンズプッシャーの側面立面図である。
【図６ｂ】図６ｂは、レンズプッシャーのレンズ係合端部の詳細図である。
【図６ｃ】図６ｃは、レンズプッシャーの上平面図である。
【図７】図７は、本発明を使用して切断されたＩＯＬの周囲壁を示す、５０倍の拡大での走査型電子顕微鏡画像である。
【図８ａ】図８ａは、一部分が断面で示される、本発明の別の実施形態の側面立面図である。
【図８ｂ】図８ｂは、図８ａの正面立面図である。
2006511316.tif 000003
【図２】
2006511316.tif 000004
2006511316.tif 000005
2006511316.tif 000006
【図７】
2006511316.tif 000007
2006511316.tif 000008
2006511316.tif 000009
2006511316.tif 000010
【国際調査報告】
2006511316.tif 000011
2006511316.tif 000012
2006511316.tif 000013